(57)【要約】  【課題】  鏡筒を大型化することなく外力に対する強度を均一化又は向上させることができるようにした光学機器を提供する。  【解決手段】  光学機器は、第１の部材１１と、該第１の部材に対して光軸回りで回転する第２の部材１２とを有する。該第１および第２の部材のうち一方の部材はカム部１１ａを有し、他方の部材は該カム部に係合するカムフォロア部１０ａを有し、該第２の部材が第１の部材に対して回転することにより該カム部が該第１および第２の部材を光軸方向に相対駆動する。第１の部材は、互いに光軸方向に離れた位置に第１および第２の突起部１１ｂ−１，１１ｂ−２を有し、第２の部材は、互いに光軸方向に離れた位置に第１および第２の突起部に当接可能な第３の突起部１０ｂ−１および第４の突起部１０ｂ−２，１０ｃ，１０ｄを有する。該第４の突起部は、第２の部材の周方向に複数設けられ、かつ動力伝達を行うための突起部１０ｃ，１０ｄを含む。【選択図】  図２
2006227214.tif 000002
【特許請求の範囲】
【請求項１】
第１の部材と、該第１の部材に対して光軸回りで回転する第２の部材とを有し、該第１および第２の部材のうち一方の部材はカム部を有し、他方の部材は前記カム部に係合するカムフォロア部を有し、該第２の部材が前記第１の部材に対して回転することにより前記カム部が該第１および第２の部材を光軸方向に相対駆動する光学機器であって、
前記第１の部材は、互いに光軸方向に離れた位置において前記第２の部材側に突出する第１および第２の突起部を有し、
前記第２の部材は、互いに光軸方向に離れた位置において前記第１の部材側に突出し、それぞれ前記第１および第２の突起部に光軸方向において当接可能な第３および第４の突起部を有し、
前記第４の突起部は、前記第２の部材の周方向に複数設けられ、
該複数の第４の突起部は、動力伝達を行うための突起部を含むことを特徴とする光学機器。
【請求項２】
前記第２の突起部と前記第４の突起部とは、少なくとも前記第１および第２の部材が、前記第３の突起部の周方向全長よりも短い部分が前記第１の突起部に対して当接可能な相対回転位置にあるときに、当接可能であることを特徴とする請求項１に記載の光学機器。
【請求項３】
前記第２の部材が前記第１の部材に対して物体側に駆動された状態において、前記第１および第２の突起部の物体側の面がそれぞれ、前記第３および第４の突起部の像面側の面に当接可能であることを特徴とする請求項１又は２に記載の光学機器。
【請求項４】
前記複数の第４の突起部は、前記第２の部材を回転駆動するための駆動力を受けるギヤ部を含むことを特徴とする請求項１から３のいずれか１つに記載の光学機器。
【請求項５】
前記複数の第４の突起部は、前記第２の部材の回転を他の部材に伝達するための突起部を含むことを特徴とする請求項１から３のいずれか１つに記載の光学機器。
【請求項６】
前記カム部は、前記第１および第２の部材が第１の回転範囲で相対回転するときは該第１および第２の部材を光軸方向に相対駆動し、前記第１および第２の部材が第２の回転範囲で相対回転するときは該第１および第２の部材の光軸方向への相対駆動を行わないように形成されており、
前記第１の突起部と前記第３の突起部、および前記第２の突起部と前記第４の突起部がそれぞれ、前記第１および第２の部材が前記第２の回転範囲にあるときに当接可能であることを特徴とする請求項１から５のいずれか１つに記載の光学機器。
【請求項７】
前記第１および第２の突起部は、前記第２の部材が前記第１の部材に対して光軸方向に駆動される際における前記第３および第４の突起部の移動領域外に設けられていることを特徴とする請求項１から６のいずれか１つに記載の光学機器。
【請求項８】
前記第２の突起部は、前記第１の部材に光軸直交方向にて隣接する他の部材に形成された開口部を塞ぐことを特徴とする請求項１から７のいずれか１つに記載の光学機器。
【請求項９】
第１の部材と、該第１の部材に対して光軸回りで回転する第２の部材とを有し、該第１および第２の部材のうち一方の部材はカム部を有し、他方の部材は前記カム部に係合するカムフォロア部を有し、該第２の部材が前記第１の部材に対して回転することにより前記カム部が該第１および第２の部材を光軸方向に相対駆動する光学機器であって、
前記第１および第２の部材はそれぞれ、他方の部材側に突出し、互いに光軸方向にて当接可能な突起部を有し、
前記第２の部材の前記突起部は、該第２の部材の周方向に複数設けられ、かつ動力伝達を行うための突起部を含むことを特徴とする光学機器。
【請求項１０】
前記レンズを含む光学系により形成された物体像を光電変換する光電変換素子を有することを特徴とする請求項１から９のいずれか１つに記載の光学機器。
【発明の詳細な説明】
【技術分野】
【０００１】
本発明は、デジタルスチルカメラやビデオカメラ、交換レンズ等の光学機器に関し、さらに詳しくは、該光学機器のレンズ鏡筒に外力が作用した際に該レンズ鏡筒を駆動するカム係合部の外れを阻止する構造に関するものである。
【背景技術】
【０００２】
光軸方向に伸縮するレンズ鏡筒の基本構成の１つとして、固定筒に設けられたカム溝部に、レンズを保持するレンズ保持筒をカム駆動するカム筒に設けられたカムフォロア部が係合し、該カム筒が光軸回りで回転することにより該カム筒が光軸方向に駆動され、さらにレンズ保持筒も光軸方向に駆動されるというものがある。
【０００３】
このようなレンズ鏡筒において、光学機器を落としてしまったとき等、レンズ鏡筒の前端に外力が加わった場合、カムフォロア部がカム溝部から外れ、レンズ鏡筒の駆動が不可能となるおそれがある。
【０００４】
このため、特許文献１にて提案の光学機器では、固定筒とカム筒のそれぞれに設けられた突起部を当接させることにより、外力が作用してもカムフォロア部がカム溝部から外れることを阻止するようにしている。
【０００５】
図１３には、特許文献１にて提案の光学機器における外力吸収構造を光軸回りで展開して示している。この図において、１０１は固定筒であり、その内周面にはカム溝部１０１ａが形成されている。１０２ａは固定筒１０１の内側に配置されるカム筒（図示せず）の外周面に設けられたカムフォロアであり、カム溝部１０１ａに係合する。この構成において、カム筒が図中の矢印方向に回転すると、カムフォロア１０２ａがカム溝部１０１ａに沿って移動するため、カム筒が固定筒１０１に対して光軸方向に駆動される。
【０００６】
ここで、１０１ｂは、固定筒１０１の内周面におけるカム溝部１０１ａよりも物体側に設けられた突起部であり、１０２ｂはカム筒の外周面に設けられた突起部である。突起部１０２ｂは、カム筒が固定筒１０１に対して沈胴位置から物体側に移動する際には、固定筒１０１の突起部１０１ｂに干渉しないようにカム筒とともに物体側に移動し、カム筒が固定筒１０１に対して物体側に移動した状態であってＷｉｄｅ（ワイド）〜Ｔｅｌｅ（テレ）のズーム領域にあるときには、固定筒１０１の突起部１０１ｂの物体側に位置する。この状態で外力が物体側から作用すると、突起部１０２ｂが突起部１０１ｂに当接し、カムフォロア１０２ａのカム溝部１０１ａからの外れが阻止される。
【０００７】
なお、特許文献２には、レンズ保持筒に外力が作用した場合に、該レンズ保持筒の光軸方向端部に設けられた接触部がカム溝部のカム面に当接することによってカムフォロア部のカム溝部からの外れが阻止される構成が提案されている。
【特許文献１】特開２００１−３２４６６３号公報（段落００３１〜００３２、図１０等）
【特許文献２】特開平１０−３１１４９１号公報（段落００２８〜００２９、図２等）
【発明の開示】
【発明が解決しようとする課題】
【０００８】
しかしながら、特許文献１に提案の光学機器では、ズーム領域のうちＷｉｄｅ付近において、固定筒１０１の突起部１０１ｂとカム筒の突起部１０２ｂとの当接可能な周方向長さ（以下、当接長さという）が十分に確保できない。このため、ズーム領域における他の部分に比べて、外力に対する強度が不足するという問題がある。
【０００９】
カム筒の突起部１０２ｂの周方向長さを長くしてＷｉｄｅ付近での固定筒１０１の突起部１０１ｂとの当接長さを延ばそうとすると、沈胴位置と物体側の位置との間での駆動時に突起部１０２ｂが突起部１０１ｂに干渉してしまう。また、沈胴位置から物体側に移動した後Ｗｉｄｅに到達するまでにカム筒をより大きく回転させ、Ｗｉｄｅ付近における両突起部１０２ｂ，１０１ｂの当接長さを長くする方法も考えられるが、これでは周方向におけるカム溝部１０１ａの全長が長くなってしまい、カム筒および固定筒の径を大きくしなければならないため、光学機器の小型化を阻害する要因になる。
【００１０】
本発明は、鏡筒を大型化することなく外力に対する強度を均一化又は向上させることができるようにした光学機器を提供することを目的の１つとしている。
【課題を解決するための手段】
【００１１】
一つの側面としての本発明の光学機器は、第１の部材と、該第１の部材に対して光軸回りで回転する第２の部材とを有し、該第１および第２の部材のうち一方の部材はカム部を有し、他方の部材は該カム部に係合するカムフォロア部を有し、該第２の部材が第１の部材に対して回転することにより該カム部が該第１および第２の部材を光軸方向に相対駆動する。該第１の部材は、互いに光軸方向に離れた位置に、それぞれ前記第２の部材側に突出する第１および第２の突起部を有し、該第２の部材は、互いに光軸方向に離れた位置に、それぞれ第１の部材側に突出し、第１および第２の突起部に光軸方向において当接可能な第３および第４の突起部を有する。そして、該第４の突起部は、第２の部材の周方向に複数設けられ、かつ動力伝達を行うための突起部を含むことを特徴とする。
【００１２】
また、他の観点としての本発明の光学機器は、第１の部材と、該第１の部材に対して光軸回りで回転する第２の部材とを有し、該第１および第２の部材のうち一方の部材はカム部を有し、他方の部材は該カム部に係合するカムフォロア部を有し、該第２の部材が第１の部材に対して回転することにより該カム部が該第１および第２の部材を光軸方向に相対駆動する。そして、第１および第２の部材はそれぞれ、他方の部材側に突出し、互いに光軸方向にて当接可能な突起部を有する。そして、第２の部材の突起部は、該第２の部材の周方向に複数設けられ、かつ動力伝達を行うための突起部を含むことを特徴とする。
【発明の効果】
【００１３】
本発明によれば、たとえ第１の部材に設けられた第１の突起部と第２の部材に設けられた第３の突起部との当接長さが短い状態でも、第１の部材に設けられた第３の突起部と第２の部材に設けられた第４の突起部との当接長さを加えることによって、全体として十分な当接長さを確保することができる。このため、第１および第２の部材の径を増加させることなく、外力に対する強度を均一化および向上させることができる。しかも、第４の突起部として、動力伝達を行うために用いられる突起部を利用するため、新たに外力を受けるためのみに設ける突起部の数を少なくすることができ、簡単な構成で外力に対する強度の均一化および向上を図ることができる。
【発明を実施するための最良の形態】
【００１４】
以下、本発明の実施例について図面を参照しながら説明する。
【実施例１】
【００１５】
図９から図１３には、本発明の実施例１であるデジタルスチルカメラ（撮影装置、光学機器）の構成を示している。なお、図９は、上記デジタルスチルカメラのレンズ鏡筒ユニットの構成を示す分解斜視図、図１０は、該カメラの非使用状態（鏡筒沈胴状態）での構成を示す断面図である。また、図１１は、該カメラの使用状態（鏡筒突出状態）であって広角（ワイド）位置での構成を示す断面図、図１２は、該カメラの使用状態であって望遠（テレ）位置での構成を示す断面図である。
【００１６】
これらの図において、１はレンズ鏡筒ユニットのベースとなるユニットベース部材であり、不図示のカメラ本体に固定される。該ベース部材の前端部には固定筒１１が固定されている。３は第１レンズ保持筒であり、第１レンズユニット４を保持している。また、該第１レンズ保持筒３の外周面には、先端がテーパ形状を有する３本のカムフォロア６が圧入されている。また、該第１レンズ保持筒３の物体側（以下、前側ともいう）の端部にはキャップ７が接着により固定されている。
【００１７】
８はシャッタユニットであり、第２レンズユニット９を保持している。１４は第３レンズユニット１５を保持する第３レンズ保持筒であり、フォーカスモータ１９によってガイドバー１６に沿って光軸方向に駆動され、フォーカスを合わせる。
【００１８】
２９はＣＣＤセンサ，ＣＭＯＳセンサ等により構成される撮像素子であり、ベース部材１に固定された保持板３０に対して接着等により固定されている。
【００１９】
３１は撮像素子２９に接続されたフレキシブル基板であり、撮像素子２９での光電変換により出力された信号を不図示の信号処理回路に供給する。
【００２０】
３２は防塵用のゴム、３３はＬＰＦ（ローパスフィルタ）であり、共にベース部材１に接着等により固定されている。
【００２１】
固定筒１１の内周面にはカム溝部１１ａ（図１０〜図１２参照）が形成さている。該カム溝部１１ａには、移動カム筒１０に圧入により固定されたカムフォロア１０ａが係合している。移動カム筒１０の外周面には、ギヤ部１０ｄが径方向外方（すなわち、固定筒１１側）に突出するように形成されている。ズームモータ３５の回転が不図示のギヤ列で減速されてギヤ部１０ｄに伝達されることにより、移動カム筒１０は光軸回りで回転駆動される。回転する移動カム筒１０は、カムフォロア１０ａの固定筒１１に形成されたカム溝部１１ａとの係合作用によって光軸方向にも駆動される。
【００２２】
４６はファインダカムプレートであり、その外周面には、レンズ鏡筒ユニットのズームに対応して不図示のファインダレンズをズーム駆動するためのカム溝部４６ｂ，４６ｃが形成されている。また、ファインダカムプレート４６の内周面には、固定筒１１に形成された貫通溝部１１ｄに挿入されるキー部４６ａが形成されている。このファインダカムプレート４６は、固定筒２の外周面に沿って光軸回りで回転可能である。キー部４６ａは、移動カム筒１０の外周面に、固定筒１１側に突出するよう形成された回転伝達用突起部１０ｃに係合している。
【００２３】
４７は引っ張りバネであり、その一端がファインダカムプレート４６に、他端が固定筒２に固定され、ファインダカムプレート４６を常にワイド方向に付勢している。
【００２４】
移動カム筒１０の内側には、直進ガイド筒４２が配置されている。移動カム筒１０は、直進ガイド筒４２に対して回転可能である。直進ガイド筒４２に設けられた直進キー部４２ｅ（図９参照）は、固定筒１１に設けられた直進ガイド溝部（図４に１１ｄとして示す）に係合している。これにより、直進ガイド４２は固定筒１１に対する回転が阻止される。また、直進ガイド筒４２の前端部に設けられた３つのガイド突起部４２ｆは、移動カム筒１０の内周面に設けられた不図示の溝部に係合している。このため、移動カム筒１０は直進ガイド筒４２に対して回転可能である。また、直進ガイド筒４２は、該直進ガイド筒４２の像面側端部に設けられたフランジ部４２ｈと、物体側端部に設けられた押さえリング４５とによって移動カム筒１０を挟んでいる。このため、直進ガイド筒４２は、移動カム筒１０と光軸方向に一体となって移動する。
【００２５】
第１レンズ保持筒３の外周面に設けられたカムフォロア６は、移動カム筒１０の内周面に形成されたカム溝部１０ｅに係合している。また、第１レンズ保持筒３の外周に設けられた不図示のピンは、直進ガイド筒４２の直進ガイド溝部４２ａに係合しており、第１レンズ保持筒３の回転が阻止されている。移動カム筒１０が回動すると、カムフォロア６とカム溝部１０ｅとの係合作用によって第１レンズ保持筒３は光軸方向に駆動される。
【００２６】
また、シャッタユニット８の外周に設けられたカムフォロア８１は、移動カム筒１０に形成されたシャッタカム溝部１０ｈ（図１０〜１２参照）と直進ガイド筒４２に形成された直進ガイド溝部４２ｂ（図９参照）とに係合している。このため、移動カム筒１０が回動すると、シャッタユニット８は、直進ガイド溝部４２ｂによって回転が阻止された状態で、シャッタカム溝部１０ｈとカムフォロア８１との係合作用により光軸方向に駆動される。
【００２７】
このように構成されたデジタルカメラにおいて、図１０に示す非使用状態において不図示の操作部材（メインスイッチ等）を操作すると、ズームモータ３５が作動し、移動カム筒１０が回転する。これにより、移動カム筒１０および直進ガイド筒４２が光軸方向前側に移動するとともに、移動カム筒１０の回転によって第１レンズ保持筒３およびシャッタユニット８が光軸方向前側に移動する。また、フォーカスモータ１９も作動し、これにより第３レンズ保持筒１４が前側に移動する。こうして、レンズ鏡筒ユニット内の撮影光学系が、図１１に示す使用状態（ワイド状態）に配置される。
【００２８】
図１〜６には、レンズ鏡筒ユニットのうち固定筒１１と移動カム筒（以下、単にカム筒という）１０との関係を示している。図１は固定筒１１とカム筒１０の組み立て状態の斜視図、図２は固定筒１１とカム筒１０の分解斜視図である。また、図３はカム筒１０の外周面を光軸回りに展開した図であり、図４は固定筒１１の内周面を光軸回りに展開した図である。さらに、図５および図６は、固定筒１１とカム筒１０との組み立て状態における展開図であり、図５はワイド状態を図６はテレ状態をそれぞれ示している。先の説明と重複する場合も含めて、以下に固定筒１１と移動カム筒１０との関係について詳細に説明する。
【００２９】
図１および図２において、カム筒１０の周方向３箇所に設けられたカムフォロア１０ａは、固定筒１１の内周面に形成されたカム溝部１１ａに係合する。カム筒１０は、先に説明したズームモータ３５からの駆動力がギヤ部１０ｄに伝達されることで回転し、かつカム溝部１１ａとカムフォロア１０ａとの係合作用によって光軸方向に駆動される。
【００３０】
カム筒１０の外周面には、光軸方向において異なる位置に、それぞれ径方向外方（固定筒１１側）に突出した、第３の突出部であるリブ１０ｂ−１と第４の突出部のうちの１つであるリブ１０ｂ−２が設けられている。これらリブ１０ｂ−１とリブ１０ｂ−２はそれぞれ周方向における異なる位置（異なる位相）に複数ずつ設けられている。
【００３１】
一方、固定筒１１の内周面には、光軸方向においてカム筒１０のリブ１０ｂ−１とリブ１０ｂ−２に対応する位置、すなわち光軸方向において異なる位置に、それぞれカム筒１０側に突出した第１の突起部であるリブ１１ｂ−１と第２の突起部であるリブ１１ｂ−２とが設けられている。該リブ１１ｂ−２は、リブ１１ｂ−１に比べて、周方向での長さが短い。
【００３２】
また、カム筒１０の外周面には、前述したように、それぞれ固定筒１１側に突出した、ズームモータ３５からの駆動力が伝達されるギヤ部１０ｄと、ファインダカムプレート４６を固定筒１１の外周面に沿って回転させるための回転伝達用の突起部１０ｃが形成されている。これらギヤ部１０ｄと回転伝達用突起部１０ｃも第４の突起部に含まれる。回転伝達用突起部１０ｃは、テレ状態からさらにテレ方向にカム筒１０が回転しようとしたとき、および沈胴状態からさらに沈胴方向にカム筒１０が回転しようとしたときに、固定筒１１に形成された溝部１１ｄの周方向端部に対してファインダカムプレート４６のキー部４６ａとともに当接し、カム筒１０の該回転を制限する役割も有する。
【００３３】
なお、カム筒１０の固定筒１１の内側への組み込みは、カム筒１０に設けられた組込み目印の位相を固定筒１１に設けられた目印に合わせ、カム筒１０のカムフォロア部１０ａを、固定筒１１のカム溝部１１ａの像面側端部に形成された導入部１１ｃに挿入した上で、カム筒１０を物体側に押し込むことで行う。
【００３４】
図３に示すように、カム筒１０の外周面における像面側端部には、２つのリブ１０ｂ−２とギヤ部１０ｄと回転伝達用突起部１０ｃとが互いに異なる位相に形成されている。これら複数の第４の突起部であるリブ１０ｂ−２、ギヤ部１０ｄおよび突起部１０ｃの像面側の端面は、光軸方向における略同一位置にある。
【００３５】
また、リブ１０ｂ−２、ギヤ部１０ｄおよび突起部１０ｃよりも物体側の位置には、リブ１０ｂ−１が等間隔で３箇所に設けられている。３つのリブ１０ｂ−１のうち２つの位相に対して、回転伝達用突起部１０ｃの位相は重複するが、リブ１０ｂ−２の位相は異なる。また、ギヤ部１０ｄは、３つのリブ１０ｂ−１のうち１つが設けられた位相を含み、かつこれら３つのリブ１０ｂ−１とは異なる位相にまで延びている。図中の１０ｍは、カムフォロア１０ａを圧入するための穴部である。
【００３６】
図４に示す固定筒１１の内周面に設けられたカム溝部１１ａは、沈胴位置から所定のリフト角で光軸方向に対して傾いてＷＩＤＥ位置まで延び、その後、光軸方向における同じ位置でＴＥＬＥ位置まで延びている。このため、該カム溝部１１ａにカムフォロア１０ａが係合したカム筒１０は、固定筒１１に対して沈胴位置からＷＩＤＥ位置まで回転しながら物体側に移動し、ＷＩＤＥ位置からＴＥＬＥ位置までは光軸方向の定位置で回転する。
【００３７】
この固定筒１１の内周面における物体側の端部近くであってカム溝部１１ａよりも物体側には、それぞれ３本のカム溝部１１ａにおけるＷＩＤＥ（ワイド）位置よりも若干沈胴側の位置からＴＥＬＥ（テレ）位置までの領域に沿うように３つのリブ１１ｂ−１が等間隔で設けられている。
【００３８】
また、カム溝部１１ａよりも像面側の位置の周方向２箇所には、リブ１１ｂ−２が設けられている。これら２つのリブ１１ｂ−２は、２本のカム溝部１１ａのＷＩＤＥ位置に対応する位置から沈胴側およびＴＥＬＥ側にそれぞれ若干進んだ位置までの位相範囲に形成されている。
【００３９】
図中の１１ｄは、前述したように、カム筒１０の回転伝達用突起部１０ｃに係合する、ファインダカムプレート４６に設けられたキー部４６ａが挿入される貫通溝部である。また、１１ｅは、前述した直進ガイド筒４２の直進キー部４２ｅが係合し、該直進ガイド筒４２を光軸方向にガイドする直進ガイド溝部である。さらに、１１ｆは、カム筒１０のギヤ部１０ｄに係合する不図示のギヤが挿入される切り欠き部、１１ｈは後述するフレキシブル基板を固定筒１１の外周面側にて保持するための基板保持部、１１ｇは該基板保持部１１ｈにより保持されたフレキシブル基板を固定筒１１の内側に通すための貫通口である。
【００４０】
以上のように形成されたカム筒１０を固定筒１１の内側に組み込むと、ＷＩＤＥ状態およびＴＥＬＥ状態において、カム筒１０のリブ１０ｂ−１、リブ１０ｂ−２、回転伝達突起１０ｃおよびギヤ部１０ｄと、固定筒１１のリブ１１ｂ−１およびリブ１１ｂ−２との位置関係はそれぞれ図５および図６に示すようになる。
【００４１】
図５に示すＷＩＤＥ状態において、カム筒１０に物体側から外力が作用すると、固定筒１１における物体側のリブ１１ｂ−１に、カム筒１０における物体側のリブ１０ｂ−１の一部が当接する。このとき、固定筒１１における像面側の２つのリブ１１ｂ−２には、回転伝達用突起部１０ｃが当接する。これにより、固定筒１１のリブ１１ｂ−１とカム筒１０のリブ１０ｂ−１だけが当接する場合に比べて、外力を受ける面積（当接面積）を拡大することができ、カムフォロア１０ａのカム溝部１１ａからの外れを阻止することができる。
【００４２】
図６に示すＴＥＬＥ状態において、カム筒１０に物体側から外力が作用すると、固定筒１１における物体側のリブ１１ｂ−１に、カム筒１０における物体側のリブ１０ｂ−１の全面が当接する。通常の外力であればこれで十分に外力を吸収することができるが、本実施例では、さらに固定筒１１における像面側の２つのリブ１１ｂ−２のうち一方にカム筒１０のギヤ部１０ｄが当接し、他方にカム筒１０の像面側のリブ１０ｂ−２が当接する。これにより、さらに外力を受ける面積（当接面積）を拡大することができ、より大きな外力が作用した場合でもカムフォロア１０ａのカム溝部１１ａからの外れを阻止することができる。
なお、このＴＥＬＥ状態において、リブ１１ｂ−１とリブ１０ｂ−１との当接位置およびリブ１１ｂ−２とギヤ部１０ｄ又はリブ１０ｂ−２との当接位置は位相が異なる。これにより、ＴＥＬＥにおいては、前後のリブを合わせると鏡筒の全周近い範囲で補強できる。
【００４３】
ＷＩＤＥ位置からＴＥＬＥ位置までのミドル領域においてカム筒１０に物体側から外力が作用すると、固定筒１１における像面側のリブ１１ｂ−２に対して、カム筒１０におけるリブ１０ｂ−２、回転伝達用突起部１０ｃおよびギヤ部１０ｄのうちズーム位置に応じた突起部が当接する。これにより、いずれのズーム位置でも光軸方向前後の複数の箇所でカム筒１０が固定筒１１に当接し、十分な当接面積が確保され、カムフォロア１０ａのカム溝部１１ａからの外れを阻止することができる。
【００４４】
なお、本実施例のように、光軸方向の異なる位置に複数の突起部を設ける場合において、固定筒１１の像面側のリブ１１ｂ−２を設ける位相は以下のような制約を受ける。すなわち、カム筒１０が沈胴位置とワイド位置との間で固定筒１１に対して移動する際、該カム筒１０のリブ１０ｂ−１、リブ１０ｂ−２、回転伝達用突起部１０ｃおよびギヤ部１０ｄといった突起部も固定筒１１のカム溝部１１ａに沿った方向に移動する。このため、固定筒１１のリブ１１ｂ−２は、沈胴位置とワイド位置との間で移動するカム筒１０の上記突起部と干渉しないように、これら突起部の移動領域を避けて配置する必要がある。
【００４５】
以上説明したように、本実施例によれば、たとえ固定筒１１に設けられたリブ１１ｂ−１に対するカム筒１０に設けられたリブ１０ｂ−１の係り量（当接長さ）が少ないＷＩＤＥ状態でも、固定筒１１においてリブ１１ｂ−１よりも像面側に設けられたリブ１１ｂ−２に対するギヤ部１０ｄおよび回転伝達用突起部１０ｃの係り量を加えることができるので、固定筒１１やカム筒１０の径を増加させることなく、全ズーム域における外力に対する強度を均一化および向上させることができる。しかも、ギヤ部１０ｄおよび回転伝達用突起部１０ｃとして従来設けられていた突出部を利用するため、新たに外力を受けるためのみに設けるリブ１０ｂ−２の数を少なくすることができる。
【００４６】
また、本実施例において、カム筒１０に設けられたリブ１０ｂ−２は、カム筒１０の外周面から外径方向に突出していることを利用して、図７および図８に示すように、外力を受ける目的以外の目的でも使用される。
【００４７】
図７において、１３は直進ガイド筒４２とシャッタユニット８に電気を供給するためのフレキシブル基板であり、固定筒１１に形成された基板保持部１１ｈによって該固定筒１１の外周面側にて保持され、貫通口１１ｇを通って固定筒１１の内側に導かれて物体側に延びている。
【００４８】
直進ガイド筒４２のフランジ部４２ｈには、沈胴時にフレキシブル基板１３を通すための切り欠き部４２ｇが形成されている。ここで、固定筒１０の内周面と直進筒４２のフランジ部４２ｈの外周面との間には、遮光性を確保するために隙間を空けないことが望ましい。このため本実施例では、ワイド状態とテレ状態との間のズーム領域、すなわち使用状態において、固定筒１１における像面側のリブ１１ｂ−２によってこの切り欠き部４２ａを塞ぐように構成している。これにより、フレキシブル基板１３を上記のように配置しても、撮影時には遮光性を確保できる。
【００４９】
また、図８に示すように、リブ１０ｂ−２における像面側の面のうち１２時（０時）の方向には、レンズ鏡筒ユニットの組み立て時に良く見える目印１０ｆが設けられている。この目印１０ｆを基準として、カム筒１０と固定筒１１と直進ガイド筒４２とを１２時の方向に合わせて組み立てることにより、組み立てを容易に行うことができる。
【００５０】
さらに、図８中の１０ｇは、組み立て時でカム筒１０を手動で固定筒１１に対して回転させ、光軸方向に移動させる必要が生じた際に、ピンセット等の工具を引っ掛けるためにリブ１０ｂ−２に形成された穴部である。また、直進ガイド筒４２のフランジ部４２ｈのうち該穴部１０ｇの周辺には、工具の移動スペースを確保するために切り欠き部４２ｉが形成されている。前述したように、直進ガイド筒４２のフランジ部４２ｈに切り欠き部４２ｉを設けると遮光性が低下する。このため、この切り欠き部４２ｉｃも、フレキシブル基板１３のための切り欠き部４２ｇと同様に、使用状態においては、固定筒１１に設けられたリブ１１ｂ−２によって塞ぐようにしている。
【００５１】
なお、本実施例では、光軸方向の２箇所において固定筒１１とカム筒１０に設けた突起部を当接させる場合について説明したが、本発明では、該当接箇所は２箇所に限定されるものではなく、３箇所以上設けてもよい。
【００５２】
また、本実施例では、カム筒１０にギヤ部１０ｄを設け、リブ１０ｂ−２を２箇所に設けた場合について説明したが、カム筒１０に回転力を別の機構によって伝達可能な場合は、リブ１０ｂ−２を等間隔３箇所にバランス良く配置することも可能である。
【００５３】
また、本実施例では、カム筒１０に設けられたカムフォロア１０ａが固定筒１１に設けられたカム溝部１１ａに係合する場合について説明したが、本発明は、カムフォロアが突条カムに係合する場合にも適用することができる。
【００５４】
さらに、上記各実施例では、第１の部材としての固定筒にカム部が設けられ、第２の部材としてのカム筒１０にカムフォロア部が設けられた場合について説明したが、本発明は、第２の部材にカム部が設けられ、第１の部材にカムフォロア部が設けられた場合にも適用することができる。
【００５５】
また、上記各実施例では、デジタルスチルカメラのレンズ鏡筒に本発明を適用した場合について説明したが、本発明は、ビデオカメラのレンズ鏡筒、一眼レフカメラの交換レンズにも適用することができる。
【図面の簡単な説明】
【００５６】
【図１】本発明の実施例１におけるデジタルスチルカメラのレンズ鏡筒ユニットを構成する固定筒とカム筒を示す物体側からの斜視図。
【図２】実施例１の固定筒とカム筒の分解斜視図。
【図３】実施例１のカム筒の光軸周りでの展開図。
【図４】実施例１の固定筒の光軸周りでの展開図。
【図５】実施例１の固定筒とカム筒の光軸周りでの展開図（ワイド状態）。
【図６】実施例１の固定筒とカム筒の光軸周りでの展開図（テレ状態）。
【図７】実施例１のレンズ鏡筒ユニットの像面側からの斜視図。
【図８】実施例１のレンズ鏡筒ユニットの像面側から見た図。
【図９】実施例１のレンズ鏡筒ユニットの分解斜視図。
【図１０】実施例１のデジタルスチルカメラの断面図（沈胴状態）。
【図１１】実施例１のデジタルスチルカメラの断面図（ワイド状態）。
【図１２】実施例１のデジタルスチルカメラの断面図（テレ状態）。
【図１３】従来の外力受け構造を示す光軸周りでの展開図。
【符号の説明】
【００５７】
３  第１レンズ保持筒
８  シャッタユニット
１０  カム筒
１０ａ  カムフォロア
１０ｂ−１，１０ｂ−２  リブ
１０ｃ  回転伝達用突起部
１０ｄ  ギヤ部
１１  固定筒
１１ａ  カム溝部
１１ｂ−１，１１ｂ−２  リブ
１３  フレキシブル基板
４２  直進ガイド筒
４２ｇ  貫通口
２９  撮像素子
【図１】
2006227214.tif 000003
【図２】
2006227214.tif 000004
【図３】
2006227214.tif 000005
【図４】
2006227214.tif 000006
【図５】
2006227214.tif 000007
【図６】
2006227214.tif 000008
【図７】
2006227214.tif 000009
【図８】
2006227214.tif 000010
【図９】
2006227214.tif 000011
【図１０】
2006227214.tif 000012
【図１１】
2006227214.tif 000013
【図１２】
2006227214.tif 000014
【図１３】
2006227214.tif 000015